(57)【要約】      （修正有）【課題】鈴全体のスペースの中心を占める鈴本体部の表面を使用して、何等かのメッセージを書き加えたり、絵を書き加えたりすることができるアートな機能を備えた仏鈴を提供する。【解決手段】上端側が開口した球形椀型の鈴本体部１１と、該鈴本体部の上端側開口部を覆う鈴カバー部１２と、上記鈴本体部の内側にあって上記鈴カバー部を支持する鈴カバー部支持軸とを備えてなる仏鈴１であって、上記鈴本体部の表面を、所望のメッセージ又は絵を書き加えることができるように構成し、仏鈴自体にアート機能を付加した。【選択図】図３
0003235363.tif 000002
【実用新案登録請求の範囲】
【請求項１】
上端側が開口した球形椀型の鈴本体部と、該鈴本体部の上端側開口部を覆う鈴カバー部と、鈴本体部の内側にあって鈴カバー部を支持する鈴カバー部支持軸を備えてなる仏鈴であって、鈴本体部の表面には所望のメッセージ又は絵を書き加えることができるように構成されていることを特徴とする仏鈴。
【請求項２】
鈴カバー部の形状が球形椀型の鈴本体部の球面形状に連続する球面形状をしており、鈴本体部および鈴カバー部の全体が球体に形成されていることを特徴とする請求項１記載の仏鈴。
【請求項３】
鈴カバー部の形状が所定の果物の上端部の形状をしており、鈴本体部と組み合わされた状態では、鈴本体部および鈴カバー部の全体が当該所定の果物の形状に形成されるように構成されていることを特徴とする請求項１記載の仏鈴。
【考案の詳細な説明】
【技術分野】
【０００１】
本願考案は、鈴本体にメッセージを書いたり、絵を書くことができるようにしたアート機能を備えた仏鈴の構成に関するものである。
【背景技術】
【０００２】
最近では仏壇の形態も大きく変化してきており、リビング等にも置くことができる小型で、モダンな仏壇が多く提供されるようになっている。また、供養の形態も大きく変化してきており、手元供養を採用する家庭が増えている。そして、それに合わせて仏具の形態も大きく変化し、モダンでポップなデザインの仏鈴が増えている。
【０００３】
そのような最近の仏鈴の中には、打鈴され、打鈴時の振動によって発音する鈴本体部と、該鈴本体部を支持する支軸部と、該支軸部を固定支持する鈴台部とを備えて構成されたものが多い（例えば特許文献１の構成を参照）。そして、この種の仏鈴では、その外観の全体的な見栄えを規定する鈴本体部又は鈴台部の意匠に種々の工夫を凝らし、できるだけ斬新な意匠のものに構成しようとする傾向が見られる。
【先行技術文献】
【特許文献】
【０００４】
【特許文献１】特開２００６−１３０３０５号公報
【考案の概要】
【考案が解決しようとする課題】
【０００５】
しかし、同特許文献１の仏鈴の構成の場合、鈴本体部に斬新なデザインが施されているが、それ自体は製造段階でデザイナーにより固定的にデザインされたものであり、美しくはあるがユーザーサイドで故人に対するメッセージを書き加えたり、絵を書き加えたりすることができるアートなものではない。
【０００６】
この出願の考案は、このような事情に基づいてなされたもので、鈴全体のスペースの中心を占める鈴本体部の表面を使用して、何等かのメッセージを書き加えたり、絵を書き加えたりすることができるアートな機能を備えた仏鈴を提供することを目的とするものである。
【課題を解決するための手段】
【０００７】
この出願の考案は、上述の課題を解決するために、次のような課題解決手段を備えて構成されている。
【０００８】
（１）請求項１の考案の課題解決手段
請求項１の考案の課題解決手段は、上端側が開口した球形椀型の鈴本体部と、該鈴本体部の上端側開口部を覆う鈴カバー部と、鈴本体部の内側にあって鈴カバー部を支持する鈴カバー部支持軸とを備えてなる仏鈴であって、鈴本体部の表面は、所望のメッセージ又は絵を書き加えることができるように構成されている。
【０００９】
このような構成によると、鈴本体部の表面に所望のメッセージを書き加えることでき、また所望の絵を書き加えることができるようになっているので、当該仏鈴を購入したユーザーは、自らのアプローチで何らかの心情を表現、デザインした自分唯一の仏鈴を構成することができる。
【００１０】
つまり、同構成では、そのままでは一般的な仏鈴に思想感情を表現するアート機能を付加することが可能になる。したがって、仏鈴の斬新さ、商品性がより向上する。
【００１１】
（２）請求項２の考案の課題解決手段
請求項２の考案の課題解決手段は、上記請求項１の考案の課題解決手段において、鈴カバー部の形状が球形椀型の鈴本体部の球面形状に連続する球面形状をしており、鈴本体部および鈴カバー部の全体が球体に形成されている。
【００１２】
この考案の課題解決手段では、鈴カバー部の形状が球形椀型の鈴本体部の球面形状に連続する球面形状をしており、鈴本体部および鈴カバー部の全体が球体に形成されている。
【００１３】
したがって、当該鈴カバー部を球形椀型の鈴本体部との関係において組み合わせて使用することによって、全体として球体形状の斬新なデザインのモダンな仏鈴を容易に構成することができる。そして、その場合において、球形椀型の鈴本体部の表面が所望のメッセージ又は絵を書き加えることができるように構成される。
【００１４】
（３）請求項３の考案の課題解決手段
請求項３の考案の課題解決手段は、上記請求項１の考案の課題解決手段において、鈴カバー部の形状が所定の果物の上端部の形状をしており、鈴本体部と組み合わされた状態では、鈴本体部および鈴カバー部の全体が当該所定の果物の形状に形成されている。
【００１５】
この考案の課題解決手段では、鈴カバー部の形状が所定の果物の上端部の形状をしており、鈴本体部と組み合わされた状態では、鈴本体部および鈴カバー部の全体が当該果物の形状に形成されている。
【００１６】
したがって、当該鈴カバー部を球形椀型の鈴本体部と組み合わせて使用することによって、所定の果物の形をした斬新なデザインのモダンな仏鈴を容易に構成することができる。そして、その場合において、球形椀型の鈴本体部の表面が所望のメッセージ又は絵を書き加えることができるように構成される。
【考案の効果】
【００１７】
以上の結果、この出願の考案によると、仏鈴の斬新さを向上させ、その商品性を一層大きく向上させることができるようになる。
【図面の簡単な説明】
【００１８】
【図１】鈴本体部および鈴カバーの表面を無地の状態で仕上げた、この出願の考案の第１の実施の形態に係る仏鈴の構成を示す正面図である。
【図２】同鈴本体部および鈴カバーの表面を無地の状態で仕上げた、この出願の考案の第１の実施の形態に係る仏鈴の構成を示す中央断面図（図１の中央で前後方向に切断し、左側の切断面を見た断面図）である。
【図３】同鈴本体部および鈴カバーの表面を無地の状態で仕上げた、この出願の考案の第１の実施の形態に係る仏鈴（図１）において、その鈴本体部の表面にメッセージを書いた状態の構成を示す正面図である。
【図４】鈴本体部の表面に桜の花びらを表した、この出願の考案の第１の実施の形態に係る仏鈴の構成を示す正面図である。
【図５】鈴本体部の表面に桜の花びらを表した、この出願の考案の第１の実施の形態に係る仏鈴（図４）において、鈴本体部の表面にメッセージを書いた状態の構成を示す正面図である。
【図６】鈴本体部および鈴カバーの表面を無地の状態に仕上げた、この出願の考案の第２の実施の形態に係る仏鈴の構成を示す正面図である。
【図７】同鈴本体部および鈴カバーの表面を無地の状態に仕上げた、この出願の考案の第２の実施の形態に係る仏鈴の構成を示す中央断面図（図６の中央で前後方向に切断し、左側の切断面を見た断面図）である。
【図８】同鈴本体部および鈴カバーの表面を無地の状態に仕上げた、この出願の考案の第２の実施の形態に係る仏鈴（図６）において、その鈴本体部の表面に懐かしい思い出の絵を書いた状態の構成を示す正面図である。
【図９】鈴本体部の表面に桜の花びらを表した、この出願の考案の第２の実施の形態に係る仏鈴において、鈴本体部の表面に思い出の絵を書いた状態の構成を示す正面図である。
【図１０】鈴本体部を球形椀型の形状、鈴カバーを林檎上端部の形状として組み合わせ、鈴全体として林檎の形状に仕上げた、この出願の考案の第３の実施の形態に係る仏鈴の構成を示す正面図である。
【図１１】同鈴全体として林檎の形状に仕上げた、この出願の考案の第３の実施の形態に係る仏鈴の構成を示す中央断面図（図１０の中央で前後方向に切断し、左側の切断面を見た断面図）である。
【図１２】同鈴全体として林檎の形状に仕上げた、この出願の考案の第３の実施の形態に係る仏鈴（図１０）において、その鈴本体部の表面に家族一同の絵を書いた状態の構成を示す正面図である。
【図１３】鈴本体部を球形椀型の形状、鈴カバーを林檎上端部の形状として組み合わせ、鈴全体として林檎の形状に仕上げた、この出願の考案の第４の実施の形態に係る仏鈴の構成を示す正面図である。
【図１４】同鈴全体として林檎の形状に仕上げた、この出願の考案の第４の実施の形態に係る仏鈴の構成を示す中央断面図（図１３の中央で前後方向に切断し、左側の切断面を見た断面図）である。
【図１５】同鈴全体として林檎の形状に仕上げた、この出願の考案の第４の実施の形態に係る仏鈴（図１３）において、その鈴本体部の表面にパンダの絵を描いた状態の構成を示す正面図である。
【考案を実施するための形態】
【００１９】
以下、この出願の考案の第１〜第４の実施の形態に係る仏鈴の構成および作用について、添付の図１〜図１５を参照して詳細に説明する。以下に述べる第１〜第４の実施の形態においては、対象となる仏鈴の一例として、たとえば最近多くなっているモダン仏壇に適したデザイン、構成のものが採用されている。
【００２０】
図１〜図１５には、それぞれ外観又は形状を異にするこの出願の考案の第１〜第４の実施の形態に係る仏鈴の構成が示されている。図１〜図１５のうち、図１〜図５が第１の実施の形態に係る仏鈴の構成を、図６〜図９が第２の実施の形態に係る仏鈴の構成を、図１０〜図１２が第３の実施の形態に係る仏鈴の構成を、図１３〜図１５が第４の実施の形態に係る仏鈴の構成を示している。
【００２１】
＜第１の実施の形態に係る仏鈴の構成と作用＞
まず、図１〜図５はこの出願の考案の第１の実施の形態に係る仏鈴の構成と作用を示している。
すなわち、この第１の実施の形態に係る仏鈴１は、底部中央１１ａに所定の径の偏平部を形成し、上端側所定位置に中央の直径部分よりも小さい所定の径の開口部１１ｂを形成した内側が空洞の球形椀型の鈴本体部１１と、該鈴本体部１１の上記開口部１１ｂ上に位置して同開口部１１ｂを覆う球面形状の鈴カバー部１２とからなっている。
【００２２】
球面形状の鈴カバー部１２の球面部の曲率は鈴本体部１１の球面部の曲率に等しく形成されていて、所定の隙間１５を介して相互に連続する正球面部を形成している。また、鈴本体部１１の底部中央１１ａの偏平部の径は、鈴カバー部１２を設けた球形椀型の鈴本体部１１が打鈴時にも倒れることなく、安定した設置状態を維持できる範囲で、可能な限り小さな直径のものに形成されていて、図１のように全体として見た時に、殆ど偏平面があることが分からず、仏鈴１全体が略完全な球体に見えるように構成されている。
【００２３】
鈴本体部１１の底部中央１１ａの偏平部の内側中央部には鈴カバー部支持軸１３の下端１３ａを螺合固定するための螺合孔１４ａが設けられており、鈴カバー部支持軸１３の下端１３ａが垂直に螺合固定されている。そして、その上端１３ｂが開口部１１ｂの開口面よりも所定寸法上方に突出している。
【００２４】
一方、鈴カバー部１２の球面部中央の下面には、鈴カバー部支持軸１３の上端１３ｂに螺合固定される螺合孔１４ｂを有する円柱体１２ａが下端側開口部１２ｂの開口面まで延びて設けられている。そして、鈴カバー部１２は、同円柱体１２ａおよびその螺合孔１４ｂを介して鈴カバー部支持軸１３の上端１３ｂに螺合固定されることにより、その下端側開口部１２ｂの開口面が鈴本体部１１の上端側開口部１１ｂの開口面との間に周方向の全体に均一な所定の隙間１５を形成する状態で垂直に支持されている。これにより、たとえば図１に示すような、全体として略完全な球体構造の斬新な形状の仏鈴１が構成されている。
【００２５】
そして、同図１および図２の状態において、別途準備されている所定の鈴棒（例えば黒檀よりなる）により鈴本体部１１が打たれると、球形椀型の鈴本体部１１の全体が効果的に振動し、内側の空間部で共鳴すると共に、鈴カバー部１２の下端側開口部１２ｂの開口面と鈴本体部１１の上端側開口部１１ｂの開口面との間の周方向の全体に均一な所定の隙間１５から余韻のある共鳴音が放出される。
【００２６】
以上の構成における鈴本体部１１および鈴カバー部１２は、一般に音色の良い真鍮やシルジン青銅などの合金で形成されるが、その外面デザインは自由であり、図１および図２の場合には、球形椀型の鈴本体部１１と該球形椀型の鈴本体部１１と同一球面形状の鈴カバー部１２が共に一つの球体を形成するように組み合わされて全体として球体形状の仏鈴を構成している。そして、図１および図２の場合には、それら鈴本体部１１および鈴カバー部１２の外周面がそれぞれ白磁色（乳灰色）をした落ち着いた無地の表面に仕上げられている。そして、それによって文字や絵が書きやすく構成されている。
【００２７】
そして、その鈴本体部１１の外周面には、例えば図３に示すように、例えば亡くなった家族（この場合には祖母の方）に対する遺族からのメッセージを書くことができるようになっている。メッセージの筆記具には、例えば油性のマーキングペンが用いられる。最近の油性マーキングペンは２０種前後の色が揃っており、細書き、太書きと線の太さも自由に選ぶことができる。したがって、デザイン性のあるメッセージを自由に美しく書くことができる。
【００２８】
＜変形例に係る仏鈴の構成と作用＞
図４および図５は、この出願の考案の第１の実施の形態の変形例に係る仏鈴の構成と作用を示している。
【００２９】
すなわち、この変形例では、上記図１〜図３の共に無地の仕上げの鈴本体部１１および鈴カバー部１２の構成に対し、図４のように、少なくとも鈴本体部１１部分の表面に桜の花びらの絵柄を施したことを特徴としており、図５に示すように、そのように桜の花びらの絵柄を施した鈴カバー部１２部分の表面に、図３と同様の油性マーキングペンによるメッセージを書けるようにしたことを特徴とするものである。桜の花びらのそれぞれは、例えば水色系、黄色系、朱色系、茶色系などに美しく彩色されている。
【００３０】
このような構成にすると、より鈴本体部１１のデザイン性が高くなり、小手毬のような美しいデザインの仏鈴を実現することができる。その結果、より手元供養に適した斬新な仏鈴を提供することが可能になる。そして、そのような斬新な仏鈴において、さらに愛情の籠った遺族のメッセージを表示でき、打鈴するたびに故人との心の交流を実現することができる。
【００３１】
＜第２の実施の形態に係る仏鈴の構成と作用＞
まず、図６〜図９はこの出願の考案の第２の実施の形態に係る仏鈴の構成と作用を示している。
【００３２】
すなわち、この第２の実施の形態に係る仏鈴２は、その鈴本体部１１における底部中央１１ａの構造を、上述した第１の実施の形態に係る仏鈴１の鈴本体部１１における所定の径の偏平部に変えて、底部中央１１ａの全体が球形椀型の鈴本体部１１の球面部と同一の曲率の連続する球面構造となる球面体にして、底部中央１１ａ部分の肉厚を部分的に増大させると共に同部分の重量を大きくし、同部分を錘部として鈴本体部１１に起き上がり小法師機能を付加したことを特徴としている。その他、鈴カバー部１２、鈴カバー部支持軸１３部分の構成は、上記第１の実施の形態に係る仏鈴１と全く同様である。
【００３３】
そして、この第２の実施の形態に係る仏鈴２でも、その鈴本体部１１および鈴カバー部１２は、一般に音色の良い真鍮やシルジン青銅などの合金で形成されるが、その外面デザインは自由であり、例えば図６および図７の場合には、球形椀型の鈴本体部１１と該球形椀型の鈴本体部１１と同一球面形状の鈴カバー部１２が共に一つの完全な球体を形成するように組み合わされて全体として完全な球体形状の仏鈴を構成している。そして、図６および図７の場合には、それら鈴本体部１１および鈴カバー部１２の外周面がそれぞれ白色の光沢のある無地の表面に仕上げられている。そして、それによって油性のマーキングペンによる絵などが書きやすく構成されている。
【００３４】
そして、その鈴本体部１１の外周面には、例えば図８に示すように、家族でのキャンプなど、忘れられない思い出の絵を描くことができるようになっている。ここでの絵を描く道具には、例えば上記油性のマーキングペンが用いられる。最近の油性マーキングペンは２０種前後の色が揃っており、細書き、太書きとペン先の太さも自由に選ぶことができる。したがって、デザイン性の高い絵を自由に描くことができる。
【００３５】
また、この第２の実施の形態に係る仏鈴２の構成の場合、鈴カバー部１２の構成が第１の仏鈴１と同一の球面形状のものであり、鈴本体部１１の形状も全体に球状をしているため、第１の実施の形態に係る仏鈴１と同様に全体として斬新な球体構造のものとなっているが、球形椀型の鈴本体部１１の底部中央１１ａが偏平部である第１の実施の形態に係る仏鈴１と異なり、鈴本体部１１の底部中央１１ａが完全な球面部となっているので、鈴カバー１２および鈴本体部１１が周方向の全体に均一に揺動し易くなっており、しかも底部中央の内側に錘部が設けられていて重量が部分的に大きいので、揺れても常に鉛直方向に戻ろうとするようになる。すなわち、起き上がり小法師機能が実現されている。
【００３６】
したがって、所定の鈴棒により鈴本体部１１が打たれると、打鈴による衝撃で鈴本体部１１および鈴カバー１２の全体が大きく揺らぎ、ゆらゆらと暫くの間揺れながら、やがて自動的に鉛直状態に復帰して安定する。つまり、上述のようなデザインによる外観、形状の斬新さに加え、さらに仏鈴として効果的な起き上がり小法師機能が実現される。また、同起き上がり小法師機能による揺動により、鈴本体部１１の開口部１１ｂと鈴カバー１２の開口部１２ｂとの隙間１５から放出される共鳴音に唸りが生じる。
【００３７】
＜変形例に係る仏鈴の構成と作用＞
図９は、この出願の考案の第２の実施の形態の変形例に係る仏鈴の構成と作用を示している。
【００３８】
すなわち、この変形例では、上記図６〜図８の共に白色で無地の仕上げの鈴本体部１１および鈴カバー部１２の構成に対し、図９のように、少なくとも鈴本体部１１部分の表面に桜の花びらの絵柄を施したことを特徴としており、同桜の花びらの絵柄を施した鈴カバー部１２部分の表面に、図８と同様の油性マーキングペンによる家族での思い出の絵を描けるようにしたことを特徴とするものである。この場合にも、桜の花びらのそれぞれは、例えば水色系、黄色系、朱色系、茶色系などに美しく彩色されている。
【００３９】
このような構成にすると、より鈴本体部１１のデザイン性が高くなり、小手毬のような美しいデザインの仏鈴を実現することができる。その結果、より手元供養などに適した斬新な仏鈴を提供することが可能になる。そして、そのような斬新な仏鈴において、さらに愛情の籠った家族での思い出を表示でき、打鈴するたびに故人との心の交流を実現することができる。
【００４０】
＜第３の実施の形態に係る仏鈴の構成と作用＞
まず、図１０〜図１２はこの出願の考案の第３の実施の形態に係る仏鈴の構成と作用を示している。
【００４１】
すなわち、この第３の実施の形態に係る仏鈴３は、例えば図１０〜図１２に示すように、上述した第１の実施の形態に係る仏鈴１の球形椀型の鈴本体部１１の構成が採用されており、同球形椀型の鈴本体部１１の底部中央１１ａは同様の小径の偏平部となっている。
【００４２】
一方、該鈴本体部１１の開口部１１ｂ上に位置して同開口部１１ｂを覆う鈴カバー部１２は、上述した第１の実施の形態に係る仏鈴１のような鈴本体部１１に連続する球面形状ではなく、図１０〜図１２に示すように、果物の林檎の肩部から上端部分を水平に切断し、その内側を空洞にした形状のものとなっている。この鈴カバー部１２の上面側中央部には、所定の深さの凹部１２ｃが設けられ、さらに同凹部１２ｃの底部中心には所定の軸螺合孔１２ｄが設けられており、同軸螺合孔１２ｄを利用して葉１７の付いた所定の長さの果梗部（果梗軸）１６の下端１６ａが螺合固定されている。該果梗部（果梗軸）１６および葉１７は、例えば金色（ゴールド）に塗装されている。
【００４３】
上記鈴カバー部１２の下端側開口部１２ｂの開口面の形状は、上記鈴本体部１１上端の開口部１１ｂの開口面の形状に対応する正円形状となっており、上記凹部１２ｃを除く鈴カバー部１２の外周面は周方向に均一な所定の隙間１５を介して鈴本体部１１の外周面に連続する同一曲率の球面形状となっている。
【００４４】
また、上記鈴カバー１２の上記凹部１２ｃ中央の下面には、鈴本体部１１側鈴カバー部支持軸１３の上端１３ｂに螺合連結される螺合孔１４ｂを有する短い円柱体１２ａが下端側開口部１２ｂの開口面まで延びて設けられている。そして、上記鈴カバー部１２は、同円柱体１２ａおよびその螺合孔１４ｂを介して鈴カバー部支持軸１３の上端１３ｂに螺合固定されることにより、その下端側開口部１２ｂの開口面が鈴本体部１１の上端側開口部１１ｂの開口面との間に周方向の全体に均一な所定の隙間１５を形成する状態で垂直に支持されている。
【００４５】
これにより、例えば図１０〜図１２に示すような、全体として林檎の形をした斬新な形状の仏鈴３が構成されている。そして、この全体として林檎の形をした斬新な形状の仏鈴３の鈴本体部１１および鈴カバー１２の外周面は、例えば乳白色又は乳灰色、白色、その他の色の無地面に仕上げられていて、例えば図１２のような所望の絵を描くことができるようになっている。この絵を描くのにも、先に述べた２０数種前後の色が揃ったマーキングペンが使用される。
【００４６】
図１２の絵は、例えば家族みんなが揃った状態の絵であり、ユーザーがユーザーの好みで自由に描いた絵である。この絵の下部には、例えば「ずっと一緒」などの文字を書くことも可能である。
【００４７】
そして、このような構成における鈴本体部１１および鈴カバー部１２も、上述した第１、第２の実施の形態の場合と同様に、音色の良い真鍮やシルジン青銅などの合金で形成される。
【００４８】
もちろん、全体として林檎の形をした上記斬新な形状の仏鈴１の鈴本体部１１および鈴カバー１２の外周面は、上記乳白色、白色等の色彩形態に変えて赤い林檎の色などに変えることも可能である。また、黒色やツートンカラーとすることも可能である。
【００４９】
このような構成にすると、上述した第１、第２の実施の形態に係る仏鈴１、２以上に斬新な仏鈴３を実現することができる。
【００５０】
＜第４の実施の形態に係る仏鈴の構成と作用＞
次に、図１３〜図１５は、この出願の考案の第４の実施の形態に係る仏鈴の構成と作用を示している。
【００５１】
すなわち、この第４の実施の形態に係る仏鈴４は、例えば図１３〜図１５に示すように、上述した第２の実施の形態に係る仏鈴２の球形椀型の鈴本体部１１の構成が採用されており、同球形椀型の鈴本体部１１の底部中央１１が同一曲率の完全な球面部となっていて、上述した第２の実施の形態に係る仏鈴２の場合と同様に起き上がり小法師機能が実現されている。
【００５２】
その他、鈴本体部１１および鈴カバー部１２外周面の仕上げ状態や色彩、鈴カバー部１２および鈴カバー部支持軸１３などの構成は、上記第３の実施の形態に係る仏鈴３の構成と同様である。
【００５３】
このような図１３および図１４の構成の仏鈴４の場合にも、例えば図１５に示すように、ユーザーは鈴本体部１１の外周面に所望の絵（幼児にも書きやすいパンダの例）を書くことができる。この場合にも、例えば上述したマーキングペンが用いられる。
【００５４】
このような構成の場合、低年齢の子供たちにも仏壇にお参りする習慣を身に着けさせるのに役立つ。
【００５５】
＜その他の実施の形態＞
以上の第３、第４の実施の形態では、鈴カバー１２の形状を一例として林檎の形状をしたものに構成したが、同鈴カバー１２の形状は、決して林檎の形状に限られるものではなく、例えば梨の形状、蜜柑の形状、トマトの形状など、各種の果物の形状の採用が可能である。
【００５６】
また、第１、第２の実施の形態の場合にも、全体として青い地球を模したデザインにすることも可能である。
【符号の説明】
【００５７】
１：第１の実施の形態に係る仏鈴
２：第２の実施の形態に係る仏鈴
３：第３の実施の形態に係る仏鈴
４：第４の実施の形態に係る仏鈴
１１：鈴本体部
１１ａ：鈴本体部１１の底部中央
１２：鈴カバー部
１３：鈴カバー部支持軸
１５：所定の隙間
１６：果梗部
【図１】
0003235363.tif 000003
【図２】
0003235363.tif 000004
【図３】
0003235363.tif 000005
【図４】
0003235363.tif 000006
【図５】
0003235363.tif 000007
【図６】
0003235363.tif 000008
【図７】
0003235363.tif 000009
【図８】
0003235363.tif 000010
【図９】
0003235363.tif 000011
【図１０】
0003235363.tif 000012
【図１１】
0003235363.tif 000013
【図１２】
0003235363.tif 000014
【図１３】
0003235363.tif 000015
【図１４】
0003235363.tif 000016
【図１５】
0003235363.tif 000017